(57)【特許請求の範囲】
【請求項１】
駆動源により回転駆動する駆動軸の設けられたウインチ本体と、該駆動軸により回転し、外周縁に沿ってロープ巻回する溝の形成された巻回ドラムと、該巻回ドラムの外周縁に沿って設けられ、溝側に巻回されたロープを押圧する押圧ローラと、巻回ドラムの溝にロープを取り入れ又は巻回ドラムの溝よりロープを取り出し移動するのを補助するプーリから構成されたエンドレス方式のウインチにおいて、前記巻回ドラムとプーリ間には、ロープを巻回ドラムの押圧ローラの一方の端部の位置する溝部分に取り入れ誘導及びロープを巻回ドラムの押圧ローラの他端部の位置する溝部分より取り出し誘導し、且つ巻回ドラムの回転に沿って移動する押圧ローラの他端部の位置する所望の位置で当接して停止するためのガイド体が設けられていることを特徴とするエンドレス方式のウインチ。
【請求項２】
ウインチ本体に設けられた駆動軸を回転駆動して該駆動軸に設けられた巻回ドラムを回転し、該巻回ドラムの外周縁に形成された溝に沿って設けられた押圧ローラを所望量移動しながら巻回ドラムの近傍に設けられたプーリで取り入れられたロープを溝側に誘導して巻回した後、ロープを誘導してプーリよりロープを取り出し移動するエンドレス方式のウインチへの初期ロープの誘導システムにおいて、ロープを巻回ドラムの溝側に取り入れ誘導する際、ウインチ本体に設けられたガイド体でロープを押圧ローラの一方の端部の位置する溝部分に取り入れ移動し、ロープを巻回ドラムの溝側より取り出し誘導する際、ガイド体でロープを押圧ローラの他端部の位置する溝部分より取り出し移動するとともに巻回ドラムの回転に沿って移動する押圧ローラの他端部を所望の位置で当接して停止することを特徴とするエンドレス方式のウインチへの初期ロープの誘導システム。
【発明の詳細な説明】
【技術分野】
【０００１】本発明は、例えば、防球用のネットに連結されたワイヤロープを移動するのに使用するエンドレス方式のウインチ、及び該ウインチへの初期ロープの誘導システムに関するものである。
【技術の背景】
【０００２】従来、ワイヤロープの移動用に使用されているエンドレス方式のウインチは、駆動源としてのモータに連結し回転駆動する駆動軸の設けられた矩形状のウインチ本体と、駆動軸に取り付けられ、外周縁に沿って略Ｖ字状に溝の形成された円形状の巻回ドラムと、該巻回ドラムの外周縁の溝に沿って取り付けられ、その両端側がウインチ本体に取り付けられたバネに連結したローラチェーンから構成された押圧ローラと、巻回ドラムの近傍でウインチ本体に回転自在に並行状態に取り付けられた一対のプーリから構成されている。
【０００３】上記エンドレス方式のウインチに、ワイヤロープを取り入れる場合は、先ずモータにより駆動軸を回転駆動し巻回ドラムを回転した状態で、ワイヤロープの先端を一方のプーリの回転を利用して巻回ドラムの溝側に手動で取り入れ、その後、巻回ドラムの回転により押圧ローラの設けられた端部部分より溝に沿って該押圧ローラでワイヤロープを溝側に押圧しながら巻回ドラムに巻回する。
【０００４】ワイヤロープを取り出す場合は、上記巻回ドラムに巻回されたワイヤロープの先端側が押圧ローラの端部分で自動的に巻回ドラムの溝より離反し、他方のプーリの回転を利用してウインチ本体より取り出し移動する。
【０００５】上記押圧ローラは、巻回ドラムの溝側にワイヤロープを押圧しながら巻回ドラムの回転に沿って所望量移動するために、ワイヤロープを確実に溝に沿って移動することができる。
【発明が解決しようとする課題】
【０００６】しかしながら、ワイヤロープは直線状に延びる性質があるために、ワイヤロープを巻回ドラムの溝に取り入れる場合に、プーリの回転を利用して取り入れるだけではワイヤロープがまっすぐに移動するだけで、湾曲した巻回ドラムの溝の押圧ローラの位置まで移動することが困難である。
【０００７】また、ワイヤロープを巻回ドラムの溝より取り出す場合は、押圧ローラの押圧が解除される位置より、巻回ドラムの溝より離反しながらまっすぐに移動するために、プーリ側に湾曲させて取り出し移動することが困難である。
【０００８】従って、エンドレス方式のウインチへの初期のワイヤロープの誘導は、ウインチ本体部分の蓋を開け、湾曲部分を手動で補助する必要があり、その作業が煩雑であり、ワイヤロープの湾曲補助が困難であった。
【０００９】また、ワイヤロープの誘導をガイド用の溝を用いて巻回ドラムの溝側近傍に誘導することも考えられるが、巻回ドラムの溝に沿って押圧ローラが設けられ、また、押圧ローラは巻回ドルムの回転に沿って移動するために、押圧ローラの端部が移動することとなり、単にワイヤロープを誘導するためのガイドを設置しても適切なワイヤロープの誘導ができない欠点があった。
【００１０】そこで、本発明はロープを巻回ドラムに沿って適切に誘導することができ、安全性にとみ、且つその構成が簡易なエンドレス方式のウインチ及び該ウインチへの初期ロープの誘導システムを提供することを課題とする。
【課題を解決するための手段】
【００１１】本発明は、上記課題を解決するためのエンドレス方式のウインチは、請求項１に記載のように、駆動源により回転駆動する駆動軸の設けられたウインチ本体と、該駆動軸により回転し、外周縁に沿ってロープを巻回する溝の形成された巻回ドラムと、該巻回ドラムの外周縁に沿って設けられ、溝側に巻回されたロープを押圧する押圧ローラと、巻回ドラムの溝にロープを取り入れ又は巻回ドラムの溝よりロープを取り出し移動するのを補助するプーリから構成されたエンドレス方式のウインチにおいて、前記巻回ドラムとプーリ間には、ロープを巻回ドラムの押圧ローラの一方の端部の位置する溝部分に取り入れ誘導及びロープを巻回ドラムの押圧ローラの他端部の位置する溝部分より取り出し誘導し、且つ巻回ドラムの回転に沿って移動する押圧ローラの他端部の位置を所望の位置で当接して停止するためのガイド体が設けられていることを特徴とする。
【００１２】また、上記課題を解決するためのエンドレス方式のウインチへの初期ロープの誘導システムは、請求項２に記載のように、ウインチ本体に設けられた駆動軸を回転駆動して該駆動軸に設けられた巻回ドラムを回転し、該巻回ドラムの外周縁に形成された溝に沿って設けられた押圧ローラを所望量移動しながら巻回ドラムの近傍に設けられたプーリで取り入れられた押圧ローラを所望量移動しながら巻回ドラムの近傍に設けられたプーリで取り入れられたロープを溝側に誘導して巻回した後、ロープを誘導してプーリよりロープを取り出し移動するエンドレス方式のウインチへの初期ロープの誘導システムにおいて、ロープを巻回ドラムの溝部分に取り入れ誘導する際、ウインチ本体に設けられたガイド体でロープを巻回ドラムの押圧ローラの一方の端部の位置する溝部分に取り入れ移動し、ロープを巻回ドラムの溝側より取り出し誘導する際、ガイド体でロープを巻回ドラムの押圧ローラの他端部の位置する溝部分より取り出し移動するとともに巻回ドラムの回転に沿って移動する押圧ローラの他端部を所望の位置で当接して停止することを特徴とする。
【発明の作用及び効果】
【００１３】本発明の請求項１に記載のエンドレス方式のウインチは、駆動軸を回転駆動して巻回ドラムを回転した状態で、手動でロープをプーリの回転補助を利用して取り入れ、その後、取り入れられたロープはガイド体により巻回ドラムの溝側に湾曲しながら誘導され、溝に沿って設けられた押圧ローラの一方の端部で巻回ドラムの回転で溝に沿って巻回される。この際、該押圧ローラがロープを溝側に押圧しながら巻回ドラムの回転方向に所望量移動することでロープが溝より離脱することなく巻回される。
【００１４】次に、巻回ドラムに巻回されたロープは、押圧ローラの他方の端部で巻回ドラムの溝より離反し、ガイド体によりプーリ側に湾曲しながら誘導され、該プーリの回転補助によりロープをウインチ本体より取り出す。
【００１５】この際、巻回ドラムの回転に沿って移動する押圧ローラの他端部分は上記ガイド体によりその移動を所望の位置で停止することで、巻回ドラムより離脱するロープの位置が常に一定となり、ガイド体によるロープの誘導をスムーズに行うことができる。
【００１６】また、本発明はエンドレス方式のウインチなので、駆動軸の回転方向を変更するだけで、ウインチ本体へのロープの取り入れ及び取り出し方向を自在に変更可能であり、しかも、押圧ローラの両端部の移動もそれぞれガイド体で自在に調整可能である。
【００１７】このように、本発明のエンドレス方式のウインチは、プーリで取り入れしたロープをガイド体で確実に巻回ドラムの溝に誘導し、また、巻回ドラムに巻回されたロープをプーリ側に確実に誘導して取り出し移動することができる。
【００１８】また、巻回ドラムの回転に沿って所望量移動する押圧ローラの移動をガイド体で停止できるために、確実に溝側にロープを押圧して巻回することができる。
【００１９】次に、本発明の請求項２に記載のエンドレス方式のウインチへの初期ロープ誘導システムについて説明する。
【００２０】先ず、ウインチ本体に設けられた駆動軸を回転駆動し該駆動軸に設けられた巻回ドラムを回転した状態で、ウインチ本体に誘導するロープの先端側をプーリの回転を利用して手動で取り入れる。
【００２１】次に、取り入れられたロープはプーリ部分よりガイド体に沿って湾曲しながら巻回ドラムに沿って設けられた押圧ローラの一方の端部で巻回ドラムの外周縁に沿って形成された溝に誘導し、該押圧ローラの移動で押圧された状態で溝に沿って押圧ローラの他端側まで巻回される。
【００２２】その後、巻回されたロープは押圧ローラの他端部分で、巻回ドラムの溝より離脱し、ガイド体に沿って湾曲しながらプーリ側に誘導され、プーリの回転によりウインチ本体より取り出し移動される。
【００２３】この際、押圧ローラの他端側はガイド体でその移動が停止するために、常に同じ位置を他端部分としてロープを取り出し移動することができる。
【００２４】このように、本発明のエンドレス方式のウインチへの初期ロープの誘導システムは、ウインチ本体へのロープの取り入れ及び取り出しをスムーズに行え、しかもその誘導が容易である。
【００２５】しかも、ガイド体で押圧ローラの移動を所望の位置で停止することができ、常に一定のロープの移動を可能とし、ロープへの負荷を少なくすることができる。
【００２５】また、その構成も簡易であるために、メンテナンスも容易である。
【発明を実施するための最良の形態】
【００２６】以下、本発明のエンドレス方式のウインチ及び該ウインチへの初期ロープの誘導システムの一実施例について図面を用いて説明する。【００２７】図１は本発明のエンドレス方式のウインチを示す概略平面図であり、図２はプーリよりのロープの取り入れ状態を示す概略説明平面図であり、図３は巻回ドラムの溝へのロープの取り入れを示す概略説明平面図であり、図４は巻回ドラムの溝よりロープを取り出す状態を示す概略説明平面図であり、図５はプーリよりロープを取り出す状態を示す概略説明平面図であり、図６はエンドレス方式のウインチへの初期ロープの誘導システムを示すフローチャートである。【００２８】本発明のエンドレス方式のウインチ１は、略矩形状のウインチ本体２と、該ウインチ本体２に連結された駆動部（図示せず）とから構成されている。【００２９】上記ウインチ本体２には、前記駆動部に連結され回転駆動する駆動軸３と、該駆動軸３を軸芯として取り付けられ、外周縁に沿って略Ｖ字状の溝５の形成された略円板状の巻回ドラム４と、該巻回ドラム４の溝５に沿って外周縁に取り付けられ、その両端側６Ａ、６Ｂが弾性体としてのバネ７に連結された押圧ローラ６と、巻回ドラム４の近傍で並行に取り付けられた支軸８に回転自在に設けられた２個の案内プーリ９から構成されている。尚、前記押圧ローラ６は巻回ドラム４の回転に沿って所望量移動すべくバネ７はウインチ本体２に取り付けられている。【００３０】前記案内プーリ９間には、ロープ１０を一方のプーリ９の側面に接した状態で巻回ドラム４側に取り入れ誘導移動、及び巻回ドラム４より他方プーリ９の側面に接した状態で取り出し誘導移動するための並行したガイド溝の形成された第１ガイド体１１が取り付けられている。【００３１】前記押圧ローラ６の両端側近傍よりそれぞれ巻回ドラム４に沿って前記第１ガイド体１１のガイド溝に正確にロープ１０を誘導すべく一対の第２ガイド体１２が取り付けられている。該第２ガイド体１２の押圧ローラ６側の各端部１２Ａ、１２Ｂは、巻回ドラム４の回転方向に沿って移動する押圧ローラ６の両端側６Ａ、６Ｂをそれぞれ当接して停止することで、押圧ローラ６の移動を所望の位置で制限することができる。【００３２】従って、該停止位置で押圧ローラ６による溝５側へのロープ１０の押圧が解除されロープ１０は巻回ドラム４の溝５よりの離脱し、第２ガイド体１２に沿って第１ガイド体１１側に湾曲しながらスムーズに移動することとなる。【００３３】また、第２ガイド体１２が、第１ガイド体１１と離反して設置しているために押圧ローラ６の両端側のバネ７のウインチ本体２への設置位置、バネ７との連結方法をを自在に設定することができる。【００３４】本発明において、ロープ１０とはワイヤロープを一般的に指すが、本発明において近年開発された強度のある樹脂ロープ等をも含み、ロープ９で総称する。【００３５】以上の説明のように、本発明のエンドレス方式のウインチ１は構成されている。次に、該ウインチ１への初期のロープ１０の誘導システムについて説明する。【００３６】上記誘導システムは、先ず、ウインチ本体２に設けられた駆動軸３を駆動源を介して回転駆動し、該駆動軸３に設けられた巻回ドラム４を回転した状態としてロープ１０を初期誘導する。【００３７】この際、巻回ドラム４の回転速度を調整する。即ち、通常のロープ１０移動に比し、駆動軸３の回転速度を遅く回転することで初期のロープ１０の誘導を正確に行うことが可能となる。【００３８】次に、該ロープ１０の先端側を手動で一方の第１ガイド体１１を介してウインチ本体２に移動し、一方のプーリ９の回転を利用して回転駆動する巻回ドラム４側に取り入れる。【００３９】その後、巻回ドラム４側に取り入れたロープ４は一方の第２ガイド体１２により湾曲しながら巻回ドラム４の外周縁に設けられた押圧ローラ６の一方端部６Ａ部分より溝５に取り込まれ、巻回ドラム４の回転により押圧ローラ６で溝５側に押圧された状態で溝５に沿って移動することで巻回ドラム４に巻回されることとなる。【００４０】そして、上記巻回ドラム４に巻回されたロープ１０は巻回ドラム４の回転により押圧ローラ６の他端部６Ｂで溝５側への押圧が解除され溝５より離脱した後、他方の第２ガイド体１２により湾曲しながら他方の第１ガイド体１１を介して他方のプーリ９に移動する。【００４１】そして、ロープ１０はプーリ９の回転を利用して、ウインチ本体２より取り出し移動することとなる。【００４２】これにより、ウインチ本体２への初期のロープ１０を誘導することができ、その後、駆動軸３の駆動回転を初期ロープ１０の誘導時より早くなるように調整し、ロープ１０を移動する。【００４３】このように、本発明のウインチへの初期ロープの誘導システムは、第１ガイド体１１を介して一方のプーリ９へロープ１０を手動で移動するだけで、ロープ１０を巻回ドラム４に沿って自動的に誘導できる。【００４４】また、スムーズにロープ１０をウインチ本体２に誘導することができ、ウインチの取り付け位置に対応したエンドレス方式のウインチを用いたロープの移動システムに利用することができる。【００４５】また、上記実施例では、第２ガイド体１２を一対で形成したが、本発明において第２ガイド体１２の構成は、これに限定されるものではなく、端部を連結して一体で構成することも可能である。【００４６】また、上記実施例では、押圧ローラ６の両端側をバネ７に連結したが、本発明において、押圧ローラ６の両端側の連結はこれに限定するものでなく、例えば、弾性体に連結したプーリ９に連結することも可能である。
【図面の簡単な説明】
【００４７】
【図１】本発明のエンドレス方式のウインチを示す概略説明平面図
【図２】プーリよりのロープの取入れ状態を示す概略説明断面図
【図３】巻回ドラムの溝へのロープの取り入れ状態を示す概略説明平面図
【図４】巻回ドラムの溝よりロープの取り出し状態を示す概略説明平面図
【図５】プーリへのロープの取り出し状態を示す概略説明平面図
【図６】本発明のエンドレス方式のウインチへの初期ロープの誘導システムを示すフローチャート
【符号の説明】１−エンドレス状のウインチ、２−ウインチ本体、３−駆動軸、４−巻回ドラム、５−溝
【図１】
0005527695.tif 000002
【図２】
0005527695.tif 000003
【図３】
0005527695.tif 000004
【図４】
0005527695.tif 000005
【図５】
0005527695.tif 000006
【図６】
0005527695.tif 000007